【事件の表示】
　特願２０１２−１４５１０６「画像表示システム」拒絶査定不服審判事件〔平成２６年　１月２０日出願公開、特開２０１４−　１０５３１、請求項の数（２）〕について、次のとおり審決する。
【結　論】
　原査定を取り消す。
　本願の発明は、特許すべきものとする。
【理　由】
第１　手続の経緯　
　本願は、平成２４年６月２８日の出願であって、平成２５年６月２５日付けで拒絶理由が通知され、平成２５年８月２３日付けで手続補正がされ、平成２６年２月１９日付けで拒絶理由が通知され、平成２６年４月１４日付けで手続補正がされ、同手続補正が平成２６年９月３０日付けで却下されるとともに同日付で拒絶査定（以下、「原査定」という）がされ、これに対し、平成２６年１２月２５日に本件審判請求がなされると同時に手続補正がなされ、その後、当審において平成２７年９月２４日付けで拒絶理由（以下、「当審拒絶理由」という）が通知され、平成２７年１１月３０日付けで手続補正がされたものである。
第２　本願発明
　本願の請求項１−２に係る発明は、平成２７年１１月３０日付けの手続補正で補正された特許請求の範囲の請求項１−２に記載された事項により特定されるものと認められるところ、本願の請求項１−２に係る発明（以下、「本願発明１」、「本願発明２」という。）は以下のとおりである。
「【請求項１】
　画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記通信手段が、前記外部装置が操作されたことを表すデータを受信したことを受けて、前記制御手段は前記表示手段に、当該外部装置に対応するカーソルを表示させ、
　前記制御手段は、前記外部装置において所定時間操作がなされなかったと判定すると、前記表示手段に、当該外部装置に対応するカーソルを消去させ、
　前記画像表示装置は、
　　前記外部装置が操作されたことを表すデータを受信してから、前記外部装置が操作されたことを表すデータを受信しない状態の経過時間を、前記外部装置毎に、前記所定時間が経過するまで計測するタイマ手段と、
　　前記通信手段により前記外部装置から受信された、前記表示手段に表示されるカーソルの位置情報を記憶する記憶手段とをさらに備え、
　前記制御手段は、前記タイマ手段により計測される前記外部装置毎の前記経過時間に応じて、前記外部装置に対応する前記カーソルの、前記表示手段による表示に関する属性を、表示されている前記カーソルの前記位置情報を維持したまま変化させ、
　前記制御手段は、前記外部装置毎の前記経過時間に応じて前記カーソルの前記属性を、表示されている前記カーソルの前記位置情報を維持したまま変化させる処理を繰返し実行中に、外部装置が当該外部装置の傾きを変化させる操作を受けたことを表すデータを受信したことを受けて、当該外部装置のカーソルの前記属性を、前記カーソルの前記位置情報を維持したまま、前記処理が実行される前の状態に戻し、
　前記外部装置は、当該外部装置の重力に対する向きを決定することにより、当該外部装置の傾きを変化させる操作を受けたか否かを判定することを特徴とする画像表示システム。
　【請求項２】
　画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記制御手段は、前記表示手段に、前記外部装置に対応するカーソルを表示させ、
　前記外部装置に対応するカーソルが通常状態で表示されているときに、当該外部装置が所定の操作を受けたことを表すデータを、前記通信手段が受信したことを受けて、前記制御手段は、当該外部装置に対応する前記カーソルの、前記表示手段による表示に関する属性を、表示されている前記カーソルの位置を維持したまま変化させ、
　前記所定の操作は、前記外部装置の傾きを変化させる操作であり、
　前記外部装置は、当該外部装置の重力に対する向きを決定することにより、当該外部装置の傾きを変化させる操作を受けたか否かを判定することを特徴とする画像表示システム。」　
第３　原査定の理由について
１．原査定の理由の概要
理由（イ）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
理由（ロ）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
理由（イ）及び（ロ）について：
請求項　３
引用文献等　Ａ
備考：
　引用文献Ａ（特に【００２４】乃至【００３３】、【００９４】乃至【０１１１】等を参照）には、表示部と、通信部とを備えた画像表示装置であって、演算部を備え、演算部は通信部を介して入力装置から受信した信号に基づき、所定の動作を実行するものであり、入力装置の角速度センサー及び加速度センサーにより、角速度や加速度の絶対値と基準値に基づいて入力装置が動いたと判定されると、演算部中の表示制御部は、消去されていたポインタを表示する画像表示装置、が記載されている。
　ところで引用文献Ａでは、角速度の絶対値を用いて入力装置が動いたことを判定していることから、引用文献Ａに記載された発明は入力装置の傾きの変化を判定しているものである。
　また引用文献Ａでは、ポインタの消去及び再表示を行っているが、これはポインタの表示に関する属性の変化の一つに他ならない。
理由（ロ）について：
　　　・・・（中略）・・・
請求項　１−６
引用文献等　Ａ−Ｃ
備考：
　
引用文献Ｂ
　ところで引用文献Ｂでは、ポインタの消去及び再表示を行っているが、これはポインタの表示に関する属性の変化の一つに他ならない。なお、ポインタの表示に関する属性を複数段階で変更することは、例えば
引用文献Ｃ
　また、入力装置の傾き又は位置の変化が検出された場合に、ポインタを利用可能な表示状態に戻す技術は周知である（例えば、
引用文献Ａ
　　　　　　　　　　　引　用　文　献　等　一　覧
Ａ．特開２０１０−１６５２８５号公報
Ｂ．特開２０１１−２２７６２８号公報
Ｃ．特開２０００−２２２１６２号公報
２．原査定の理由の判断
（１）　各引用文献の記載事項と、引用発明Ａ、引用発明Ｂ
ア　引用文献Ａの記載事項と引用発明Ａ
　引用文献Ａ（特開２０１０−１６５２８５号公報）には、以下の記載がある（下線は当審において付与。以下同様。）。
（ア）　段落【００２４】−【００３３】
「【００２４】
＜１．第１の実施の形態＞
［システムの構成］
【００２５】
　 図１は、本発明の情報処理システムの一実施の形態の構成を示すブロック図である。
【００２６】
　 この
情報処理システム１は、情報処理装置としての画像表示装置１２と、それを遠隔制御するポインティングデバイスあるいはリモートコントローラとしての入力装置１１とにより構成され
【００２７】
　 入力装置１１は、加速度センサー３１、角速度センサー３２、方向ボタン３３、決定ボタン３４、ドラッグボタン３５、演算部３６、通信部３７、およびアンテナ３８を有している。
【００２８】
　 
入力装置１１はいわゆる空中リモートコントローラを構成
【００２９】
　 方向ボタン３３は、アップボタン３３Ｕ、ダウンボタン３３Ｄ、レフトボタン３３Ｌ、およびライトボタン３３Ｒにより構成される。これらのボタンは、それぞれ対象画像としてのポインタを上、下、左、または右方向に移動させる場合にユーザーにより操作される。方向ボタン３３の中央には、決定ボタン３４が配置されている。決定ボタン３４は選択を確定するとき操作される。
【００３０】
　 ドラッグボタン３５は、可動オブジェクトをドラッグするとき操作される。すなわち、可動オブジェクトを所定の方向にドラッグする場合、ポインタを可動オブジェクト上に配置した状態で、ドラッグボタン３５を押圧しながら、入力装置１１が自由空間でドラッグする方向に操作される。
【００３１】
　 例えばマイクロプロセッサなどよりなる演算部３６は、
加速度センサー３１、角速度センサー３２、方向ボタン３３、決定ボタン３４、およびドラッグボタン３５の操作結果を検出
検出結果に対応するコマンド等の信号は、通信部３７により増幅、変調され、アンテナ３８を介して、電波で画像表示装置１２に送信され
【００３２】
　 例えばテレビジョン受像機からなる
画像表示装置１２は、アンテナ５１、通信部５２、演算部５３、および表示部５４を有し
【００３３】
　 アンテナ５１は、入力装置１１からの電波を受信する。通信部５２は、アンテナ５１を介して受信した信号を増幅、復調する。例えばマイクロプロセッサなどよりなる演算部５３は、通信部５２からの信号に基づき、所定の動作を実行する。表示部５４は画像を表示する。なお、図示は省略されているが、画像表示装置１２は、テレビジョン放送を受信し、画像を表示部５４に表示する機能も有している。」
（イ）　段落【００６９】−【００８５】
「【００６９】
［画像表示装置の表示制御処理１］
【００７０】
　以上のように、
入力装置１１から信号が送信されると、画像表示装置１２はその信号に対応する処理を実行
ポインタ９１の表示位置を、方向ボタン３３の操作により制御する場合の処理
【００７１】
　図１２は、表示制御処理を説明するフローチャートである。この処理は、入力装置１１から信号を受信した画像表示装置１２が、その信号に対応して実行する
【００７２】
　ステップＳ５１において
受信部１２１は、ポインタ移動量とコマンドを受信
【００７３】
　ステップＳ５２において
判定部１２３は、決定ボタンが操作されたかを判定
決定ボタン３４が操作された場合、
実行部１２４は、受信したコマンドに対応する処理を実行
【００７４】
　ステップＳ５２において
決定ボタン３４が操作されていないと判定された場合、
判定部１２３は、方向ボタンが操作されたかを判定
方向ボタン３３が操作されていない場合、
表示制御部１２２は、ポインタの表示を制御
すなわち表示制御部１２２は入力装置１１から受信したポインタ移動量に基づいて、ポインタ９１の位置を演算
【００７５】
　　（Ｘ（ｔ），Ｙ（ｔ））＝（Ｘ（ｔ）＋ΔＸ，Ｙ（ｔ）＋ΔＹ）        （４）
【００７６】
　
そして、表示制御部１２２は、演算された位置にポインタ９１を表示
【００７７】
　ステップＳ５４で
方向ボタン３３が操作されたと判定された場合、
判定部１２３は、モードはいずれの状態であるかを判定
【００７８】
　
モード１が設定されている場合、
表示制御部１２２は、方向ボタンの指示方向にポインタを移動
方向ボタン３３により指示された方向以外の方向への移動は制限され、方向ボタン３３により指示された方向にのみ移動可能なように、ポインタ９１の移動が規制され
　　　・・・（中略）・・・
【００８５】
  ステップＳ５６において
モード２が設定されていると判定された場合、
方向ボタンの指示方向の、最も近い選択オブジェクト上にポインタを移動
（ウ）　段落【００９４】−【０１１１】
「【００９４】
［画像表示装置の表示制御処理２］
【００９５】
　図１８は、他の表示制御処理を説明するフローチャートである。この処理も、入力装置１１から信号を受信した画像表示装置１２が、その信号に対応して実行する。
【００９６】
　
図１８のステップＳ１０１乃至ステップＳ１０３、ステップＳ１０５乃至ステップＳ１０９の処理は、図１２のステップＳ５１乃至ステップＳ５８の処理と同様の処理である
【００９７】
ステップＳ１０４では、ポインタが一定時間静止しているかが判定部１２３により判定され
【００９８】
　ステップＳ１０４において
ポインタ９１が一定時間静止していると判定された場合、ステップＳ１１０において表示制御部１２２は、ポインタを消去
【００９９】
　図１９は、ポインタが消去された状態を示す図である。この図１９に示されるように、いままで表示されていたポインタ９１が消去される。例えばユーザーが入力装置１１をテーブル上に載置したまま、一定時間が経過すると、このようにポインタ９１が消去される。これにより、非使用状態にポインタ９１が無駄に表示され、本来の画像が見難くなるようなことが防止される。
【０１００】
　ス
テップＳ１１１において判定部１２３は、入力装置１１が動いたかを判定
検出された角速度や加速度の絶対値が、予め設定されている基準値より大きい場合、入力装置１１は動いたと判定され
【０１０１】
　入力装置１１が動いていない場合、ステップＳ１１２において判定部１２３は、入力装置１１のボタンが操作されたかを判定
【０１０２】
　なお、ステップＳ１１１とステップＳ１１２の処理が繰り返される時間が、予め設定された所定の時間に達したとき、処理を終了させるようにしてもよい。これにより電池７３の消耗を抑制することができる。
【０１０３】
　
ステップＳ１１１で入力装置１１が動いたと判定された場合、およびステップＳ１１２においてボタンが操作されたと判定された場合、入力装置１１がユーザーにより実質的に使用されたと判断され
ステップＳ１１３において判定部１２３は、ステートはいずれの状態であるかを判定
ステートはユーザーによりステート１またはステート２のいずれかに、予め設定され
【０１０４】
　
ステート１が設定されている場合、ステップＳ１１４において設定部１２５は、ポインタの位置を画面の中央に設定
そしてステップＳ１１６において表示制御部１２２は、設定された位置に、ポインタを表示
【０１０５】
　以上のように、
ポインタ９１が
表示されていない状態において、入力装置１１が動くか、ボタンが操作された場合、ポインタ９１が初期表示位置に表示され
【０１０６】
　図２０は、ステート１の場合のポインタの初期表示位置を示す図である。同図に示されるように、ステート１が設定されている場合、ポインタ９１は表示部５４のほぼ中央に表示される。図２０の例においては、ポインタ９１は、その先端が、表示部５４の中央の点２２１に位置するように表示されている。
【０１０７】
　 これに対してステップ１１３において、
ステート２が設定されていると判定された場合、ステップＳ１１５において設定部１２５は、ポインタの位置を特定オブジェクトの位置に設定
そしてステップＳ１１６において表示制御部１２２は、設定された位置に、ポインタを表示
【０１０８】
　 図２１は、ステート２の場合のポインタの初期表示位置を示す図である。同図に示されるように、ステート２が設定されている場合、ポインタ９１が特定オブジェクトとしての選択オブジェクト２０１上に表示される。
【０１０９】
　 このように
ポインタ９１の初期表示位置が、常にユーザーの指定する特定の位置に固定されるので、ユーザーはポインタ９１の位置を速やかに発見することができ、その後のユーザーの操作が容易となる
【０１１０】
［変形例］
【０１１１】
　 以上においては、入力装置１１により遠隔操作される画像表示装置１２は、テレビジョン受像機としたが、パーソナルコンピュータ、その他の情報処理装置とすることができる。」
　そうすると、引用文献Ａには、以下の発明（以下、「引用発明Ａ」という。）が記載されている。
「情報処理システム１は、情報処理装置としての画像表示装置１２と、それを遠隔制御するポインティングデバイスあるいはリモートコントローラとしての入力装置１１とにより構成され、
　入力装置１１はいわゆる空中リモートコントローラを構成し、加速度センサー３１、角速度センサー３２、方向ボタン３３、決定ボタン３４、およびドラッグボタン３５の操作結果を検出し、検出結果に対応するコマンド等の信号は、通信部３７により増幅、変調され、アンテナ３８を介して、電波で画像表示装置１２に送信され、
　画像表示装置１２は、アンテナ５１、通信部５２、演算部５３、および表示部５４を有し、
　入力装置１１から信号が送信されると、画像表示装置１２はその信号に対応する処理を実行し、ポインタ９１の表示位置を、方向ボタン３３の操作により制御する場合の処理において、
　　受信部１２１は、ポインタ移動量とコマンドを受信し、
　　判定部１２３は、決定ボタンが操作されたかを判定し、
　　決定ボタン３４が操作された場合、実行部１２４は、受信したコマンドに対応する処理を実行し、
　　決定ボタン３４が操作されていないと判定された場合、判定部１２３は、方向ボタンが操作されたかを判定し、
　　方向ボタン３３が操作されていない場合、表示制御部１２２は、ポインタの表示を制御し、すなわち表示制御部１２２は入力装置１１から受信したポインタ移動量に基づいて、ポインタ９１の位置を演算し、そして、表示制御部１２２は、演算された位置にポインタ９１を表示し、
　　方向ボタン３３が操作されたと判定された場合、判定部１２３は、モードはいずれの状態であるかを判定し、モード１が設定されている場合、方向ボタンの指示方向にポインタを移動し、モード２が設定されていると判定された場合、方向ボタンの指示方向の、最も近い選択オブジェクト上にポインタを移動し、
　　ステップＳ１０４では、ポインタが一定時間静止しているかが判定部１２３により判定され、ポインタ９１が一定時間静止していると判定された場合、ステップＳ１１０において表示制御部１２２は、ポインタを消去し、
　　ステップＳ１１１において判定部１２３は、入力装置１１が動いたかを判定し、検出された角速度や加速度の絶対値が、予め設定されている基準値より大きい場合、入力装置１１は動いたと判定され、
　　入力装置１１が動いていない場合、ステップＳ１１２において判定部１２３は、入力装置１１のボタンが操作されたかを判定し、
　　ステップＳ１１１で入力装置１１が動いたと判定された場合、およびステップＳ１１２においてボタンが操作されたと判定された場合、入力装置１１がユーザーにより実質的に使用されたと判断され、ステップＳ１１３において判定部１２３は、ステートはいずれの状態であるかを判定し、ステートはユーザーによりステート１またはステート２のいずれかに、予め設定され、
　　ステート１が設定されている場合、ステップＳ１１４において設定部１２５は、ポインタの位置を画面の中央に設定し、そしてステップＳ１１６において表示制御部１２２は、設定された位置に、ポインタを表示し、ポインタ９１が表示されていない状態において、入力装置１１が動くか、ボタンが操作された場合、ポインタ９１が初期表示位置に表示され、
　　ステート２が設定されていると判定された場合、ステップＳ１１５において設定部１２５は、ポインタの位置を特定オブジェクトの位置に設定し、そしてステップＳ１１６において表示制御部１２２は、設定された位置に、ポインタを表示し、
　ポインタ９１の初期表示位置が、常にユーザーの指定する特定の位置に固定されるので、ユーザーはポインタ９１の位置を速やかに発見することができ、その後のユーザーの操作が容易となる、情報処理システム１。」
イ　引用文献Ｂの記載事項と引用発明Ｂ
　引用文献Ｂ（特開２０１１−２２７６２８号公報）には、以下の記載がある。
（ア）　段落【００２４】−【００４６】
「【００２４】
　＜第１の実施形態＞
　図１は、本発明の第１の実施形態に係る情報処理システムの構成を示す模式的な図である。
【００２５】
　
情報処理システム１００は、複数のユーザ１が共有して見るための画像２を表示する表示装置３と、各ユーザ１により用いられる入力装置であるコントローラ４と、上記表示装置３及び複数のコントローラ４と無線又は有線で接続される情報処理装置とを含
【００２６】
　［情報処理装置の構成］
　図２は、本実施形態に係る情報処理装置としてのＰＣ（Personal Computer）５の構成を示すブロック図である。情報処理装置として、ＰＣ５の代わりにオーディオ／ビジュアル機器やプロジェクト等が用いられてもよい。
【００２７】
　
ＰＣ５は、ＣＰＵ（Central Processing Unit）５１、ＲＯＭ（Read Only Memory）５２、ＲＡＭ（Random Access Memory）５３、入出力インタフェース５５、及び、これらを互いに接続するバス５４を備え
【００２８】
　
入出力インタフェース５５には、上記した表示装置３及び複数のコントローラ４が接続され
【００２９】
　記憶部５８は、不揮発性の記憶デバイスであり、例えばＨＤＤ（Hard Disk Drive）、フラッシュメモリ、その他の固体メモリである。
【００３０】
　ドライブ部６０は、例えば光学記録媒体、フロッピー（登録商標）ディスク、磁気記録テープ、フラッシュメモリ等、リムーバブルの記録媒体６１を駆動することが可能なデバイスである。これに対し上記記憶部５８は、主にリムーバブルでない記録媒体を駆動する、ＰＣ５に予め搭載されたデバイスとして使用される場合が多い。
【００３１】
　通信部５９は、ＬＡＮ（Local Area Network）、ＷＡＮ（Wide Area Network）等に接続可能な、他のデバイスと通信するためのモデム、ルータ、その他の通信機器である。通信部５９は、有線及び無線のどちらを利用して通信するものであってもよい。通信部５９は、ＰＣ５とは別体で使用される場合が多い。
【００３２】
　表示装置３は、例えば液晶、ＥＬ（Electro-Luminescence）、ＣＲＴ（Cathode Ray Tube）等が用いられた画面６を有する。本実施形態では、光学顕微鏡により得られた観察対象物の画像が画面６に表示される。画像２は、ＰＣ５の記憶部５８に記憶されており、以下に示す表示原理に基づいて表示される。
　　　・・・（中略）・・・
【００４２】
　また図１に示すように、
画面６には、アイコン７やポインタ８等のＧＵＩ（Graphical User Interface）が表示され
ポインタ８（いわゆるカーソル）は、入力装置を使ってユーザが指定した画面６上の位置を示すオブジェクトであ
【００４３】
　本実施形態では、１つのＰＣ５による画像処理系および画像表示系のリソースを複数のユーザで共有するために複数のコントローラ４がＰＣ５に接続される。それぞれのコントローラ４で指定された画面６上の位置には、それぞれのコントローラ４に対応する複数のポインタ８が同時に表示される。すなわち、複数のユーザが１つの画像上で所定の部位をポインタ８で指定しつつ、各々の意見を述べることができる環境がここにある。
【００４４】
　図１の例では、
４つのコントローラ４ａ〜４ｄに対応する４つのポインタ８ａ〜８ｄが画面６に表示され
【００４５】
　
コントローラ４は、十字キー４１と、決定ボタン４２と、ＬＲボタン４３と、選択ボタン４４とを有し、各ユーザ１からの操作入力をＰＣ５に供給
十字キー４１は、主に上記ポインタ８の移動及び共有画面６に表示される共有画像２の移動に用いられ
【００４６】
　コントローラ４の形状や、各種ボタンの位置、役割等は適宜設定されてよい。また、コントローラ４に代えて、マウス等のポインティングデバイスやタッチパネル、キーボード等が用いられてもよい。」
（イ）　段落【００６９】−【００７９】
「【００６９】
　＜第２の実施形態＞
　
本発明の第２の実施形態に係る情報処理装置としてのＰＣについて説明する。これ以降の説明では、第１の実施形態で説明した情報処理システム１００に用いられる各種の装置やその装置の処理等と同様なものについては、その説明を省略又は簡略化する
【００７０】
　図９は、本実施形態に係るＰＣによる操作ポインタ２１１及び位置ポインタ２１６の表示について説明するための図である。図９に示すように、本実施形態では、ユーザにより一定時間操作が行われない位置コントローラに対応する位置ポインタ２１６が、共有画面６から消去される。これにより、共有画面６上の共有画像２を複数のユーザで観察する際に、操作されない位置ポインタ２１６が邪魔になることがない。なお、図９では、３つの位置ポインタ２１６が全て消去されているが、位置ポインタ２１６ごとに以下で示す処理が行われる。
【００７１】
　図１０は、
ＰＣにより位置ポインタ２１６が消去される処理
ＰＣ
は、定期的にカウンターを増分し、一定値を越えるとタイムアップ情報を出力するウォッチドッグタイマを機能として有
（ステップ２０１）
【００７２】
　ウォッチドッグタイマがカウンターを増分するごとに、予め設定されていたタイマ値がデクリメントされる。（ステップ２０２）。このタイマ値により、位置ポインタ２１６が消去されるための条件となる、位置ポインタ２１６が操作されない時間の長さが設定される。タイマ値は、ウォッチドッグタイマのカウントの間隔の長さに基づいて定められればよい。
【００７３】
　
位置ポインタ２１６が操作されない状態で、位置ポインタ２１６が消去される条件として設定された時間が経過したか否かが判定され
（ステップ２０３）
ステップ２０２にてタイマ値がデクリメントされた結果、タイマ値が０になった場合、設定時間が経過したと判定され
【００７４】
　未だ設定時間が経過していないと判定された場合（ステップ２０３のＮｏ）、ＣＰＵによりウォッチドッグタイマのカウンターがクリアされ、再びウォッチドッグタイマのカウントに基づいて同様の処理が行われる。
設定時間が経過したと判定された場合（ステップ２０３のＹｅｓ）、共有画面６から位置ポインタ２１６が消去され、ウォッチドッグタイマのカウンターがクリアされ
（ステップ２０４）
【００７５】
　図１１は、
消去された位置ポインタ２１６が再び共有画面６に表示される場合の、ＰＣの処理
【００７６】
　監視対象のコントローラにより操作されるポインタが位置ポインタ２１６であるか否かが判定される（ステップ２１２）。監視対象のコントローラにより操作されるポインタが位置ポインタ２１６でないと判定された場合（ステップ２１２のＮｏ）、ポインタ消去の処理は行われない。位置ポインタ２１６でない操作ポインタ２１１は、操作権を有する操作コントローラにより制御され、操作ポインタ２１１が制御されることで共有画像２に対する各種の操作がＰＣにより実行される。従って、操作ポインタ２１１は消去されなくてもよい。
【００７７】
　監視対象のコントローラにより操作されるポインタが位置ポインタ２１６であると判定された場合（ステップ２１２のＹｅｓ）、その
位置ポインタ２１６が位置コントローラを介して操作されたか否かが判定され
（ステップ２１３）
【００７８】
　
位置ポインタ２１６が操作されたと判定された場合、（ステップ２１３のＹｅｓ）、現在、位置ポインタ２１６が共有画面６に表示されているか否かが判定され
（ステップ２１４）
位置ポインタ２１６が共有画面６に表示されていない場合（ステップ２１４のＮｏ）、共有画面６に位置ポインタ２１６が表示され（ステップ２１６）、タイマ値
が設定され
【００７９】
　
ステップ２１６において、位置ポインタ２１６を再び表示させる場合には、前に位置ポインタ２１６が消去された共有画面６上の位置を記憶しておき、その位置から位置ポインタ２１６を再表示させてもよ
あるいは、共有画面６の中央等所定の位置から位置ポインタ２１６を再表示させてもよいし、現在表示中の操作ポインタ２１１と同じ位置から表示させてもよ
　そうすると、引用文献Ｂには、以下の発明（以下、「引用発明Ｂ」という。）が記載されている。
「情報処理システム１００は、複数のユーザ１が共有して見るための画像２を表示する表示装置３と、各ユーザ１により用いられる入力装置であるコントローラ４と、上記表示装置３及び複数のコントローラ４と無線又は有線で接続される情報処理装置とを含み、
　ＰＣ５は、ＣＰＵ（Central Processing Unit）５１、ＲＯＭ（Read Only Memory）５２、ＲＡＭ（Random Access Memory）５３、入出力インタフェース５５、及び、これらを互いに接続するバス５４を備え、入出力インタフェース５５には、上記した表示装置３及び複数のコントローラ４が接続され、
　画面６には、アイコン７やポインタ８等のＧＵＩ（Graphical User Interface）が表示され、ポインタ８（いわゆるカーソル）は、入力装置を使ってユーザが指定した画面６上の位置を示すオブジェクトであり、４つのコントローラ４ａ〜４ｄに対応する４つのポインタ８ａ〜８ｄが画面６に表示され、
　コントローラ４は、十字キー４１と、決定ボタン４２と、ＬＲボタン４３と、選択ボタン４４とを有し、各ユーザ１からの操作入力をＰＣ５に供給し、十字キー４１は、主に上記ポインタ８の移動及び共有画面６に表示される共有画像２の移動に用いられ、
　ＰＣにより位置ポインタ２１６が消去される処理において、
　　ＰＣは、定期的にカウンターを増分し、一定値を越えるとタイムアップ情報を出力するウォッチドッグタイマを機能として有し（ステップ２０１）、
　　位置ポインタ２１６が操作されない状態で、位置ポインタ２１６が消去される条件として設定された時間が経過したか否かが判定され（ステップ２０３）、ステップ２０２にてタイマ値がデクリメントされた結果、タイマ値が０になった場合、設定時間が経過したと判定され、
　　設定時間が経過したと判定された場合（ステップ２０３のＹｅｓ）、共有画面６から位置ポインタ２１６が消去され、ウォッチドッグタイマのカウンターがクリアされ（ステップ２０４）、
　消去された位置ポインタ２１６が再び共有画面６に表示される場合の、ＰＣの処理において、
　　位置ポインタ２１６が位置コントローラを介して操作されたか否かが判定され（ステップ２１３）、
　　位置ポインタ２１６が操作されたと判定された場合、（ステップ２１３のＹｅｓ）、現在、位置ポインタ２１６が共有画面６に表示されているか否かが判定され（ステップ２１４）、
　　位置ポインタ２１６が共有画面６に表示されていない場合（ステップ２１４のＮｏ）、共有画面６に位置ポインタ２１６が表示され（ステップ２１６）、タイマ値が設定され、
　　ステップ２１６において、位置ポインタ２１６を再び表示させる場合には、前に位置ポインタ２１６が消去された共有画面６上の位置を記憶しておき、その位置から位置ポインタ２１６を再表示させてもよく、あるいは、共有画面６の中央等所定の位置から位置ポインタ２１６を再表示させてもよいし、現在表示中の操作ポインタ２１１と同じ位置から表示させてもよい、情報処理システム１００。」
（２）　「本願発明２」と「引用発明Ａ」との対比、判断
ア　対比
　本願発明２と引用発明Ａとを対比する。
（ア）　引用発明Ａの「画像表示装置１２」と「入力装置１１」とを含む「情報処理システム１」は、本願発明２の「画像表示装置」と「外部装置」とを含む「画像表示システム」に相当する。
　よって、引用発明Ａの「情報処理システム１は、情報処理装置としての画像表示装置１２と、それを遠隔制御するポインティングデバイスあるいはリモートコントローラとしての入力装置１１とにより構成され」、「画像表示装置１２は、…通信部５２、演算部５３、および表示部５４を有し」ていることは、本願発明２の「画像を表示する表示手段、及び外部装置と通信する通信手段を備えた画像表示装置と、前記外部装置とを含む画像表示システムであって」、「前記画像表示装置は、前記表示手段を制御する制御手段を備え」ることに相当する。
（イ）　引用発明Ａの「入力装置１１から信号が送信されると、画像表示装置１２はその信号に対応する処理を実行し、ポインタ９１の表示位置を、方向ボタン３３の操作により制御する場合の処理において、受信部１２１は、ポインタ移動量とコマンドを受信し、・・・（中略）・・・方向ボタン３３が操作されたと判定された場合、判定部１２３は、モードはいずれの状態であるかを判定し、モード１が設定されている場合、方向ボタンの指示方向にポインタを移動し、モード２が設定されていると判定された場合、方向ボタンの指示方向の、最も近い選択オブジェクト上にポインタを移動」することは、本願発明２の「前記制御手段は、前記表示手段に、前記外部装置に対応するカーソルを表示させ」ることに相当する。
　したがって、本願発明２と引用発明Ａとの一致点・相違点は次のとおりである。
＜一致点＞
「画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記制御手段は、前記表示手段に、前記外部装置に対応するカーソルを表示させ、
ることを特徴とする画像表示システム。」
　
＜相違点＞ 
　本願発明２は、「前記外部装置に対応するカーソルが通常状態で表示されているときに、当該外部装置が所定の操作を受けたことを表すデータを、前記通信手段が受信したことを受けて、前記制御手段は、当該外部装置に対応する前記カーソルの、前記表示手段による
表示に関する属性を
表示されている前記カーソルの位置を維持したまま変化させ
前記外部装置の傾きを変化させる操作
動いた
画面の中央
又は
特定オブジェクトの位置
再表示
傾きを変化
カーソルの位置を維持したまま
表示に関する属性
イ　判断
　本願発明２と、引用発明Ａには、上記した相違点が認められるから、本願発明２は、引用文献Ａに記載された発明であるとはいえない。
　また、「外部装置の傾きを変化させる」場合に、「表示されている前記カーソルの位置を維持したまま」、カーソル（ポインタ）の「表示に関する属性」を変化させることは、引用文献Ａに示唆はなく、周知技術ともいえないから、引用発明Ａにおいて、上記相違点に係る構成を採用することは、容易に想到できたものであるとはいえない。
ウ　むすび
　したがって、本願発明２は、引用発明Ａに記載された発明であるといえないし、引用発明Ａに基づいて当業者が容易に発明することができたものであるともいえない。
（３）　「本願発明１」と「引用発明Ｂ」との対比、判断
ア　対比
　本願発明１と引用発明Ｂとを対比する。
（ア）　引用発明Ｂの「表示装置３、情報処理装置」と、「コントローラ４」とを含む、「情報処理システム１００」は、本願発明１の「画像表示装置」と、「外部装置」とを含む、「画像表示システム」に相当する。
　よって、引用発明Ｂの「情報処理システム１００は、複数のユーザ１が共有して見るための画像２を表示する
表示装置３
無線又は有線で接続
情報処理装置
（イ）　引用発明Ｂの「画面６には、アイコン７やポインタ８等のＧＵＩ（Graphical User Interface）が表示され、ポインタ８（いわゆるカーソル）は、入力装置を使ってユーザが指定した画面６上の位置を示すオブジェクトであり、４つのコントローラ４ａ〜４ｄに対応する４つのポインタ８ａ〜８ｄが画面６に表示され」ることは、本願発明１の「前記通信手段が、前記外部装置が操作されたことを表すデータを受信したことを受けて、前記制御手段は前記表示手段に、当該外部装置に対応するカーソルを表示させ」ることに相当する。
（ウ）　引用発明Ｂの「ＰＣにより位置ポインタ２１６が消去される処理」であって、「ＰＣは、定期的にカウンターを増分し、一定値を越えるとタイムアップ情報を出力するウォッチドッグタイマを機能として有し（ステップ２０１）、位置ポインタ２１６が操作されない状態で、位置ポインタ２１６が消去される条件として設定された時間が経過したか否かが判定され（ステップ２０３）、ステップ２０２にてタイマ値がデクリメントされた結果、タイマ値が０になった場合、設定時間が経過したと判定され、設定時間が経過したと判定された場合（ステップ２０３のＹｅｓ）、共有画面６から位置ポインタ２１６が消去され」ることは、本願発明１の「前記制御手段は、前記外部装置において所定時間操作がなされなかったと判定すると、前記表示手段に、当該外部装置に対応するカーソルを消去させ」ることに相当する。
（エ）　引用発明Ｂの「ＰＣは、定期的にカウンターを増分し、一定値を越えるとタイムアップ情報を出力する
ウォッチドッグタイマ
位置を記憶
　したがって、本願発明１と引用発明Ｂとの一致点・相違点は次のとおりである。
＜一致点＞
「画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記通信手段が、前記外部装置が操作されたことを表すデータを受信したことを受けて、前記制御手段は前記表示手段に、当該外部装置に対応するカーソルを表示させ、
　前記制御手段は、前記外部装置において所定時間操作がなされなかったと判定すると、前記表示手段に、当該外部装置に対応するカーソルを消去させ、
　前記画像表示装置は、
　　前記外部装置が操作されたことを表すデータを受信してから、前記外部装置が操作されたことを表すデータを受信しない状態の経過時間を、前記外部装置毎に、前記所定時間が経過するまで計測するタイマ手段と、
　　前記通信手段により前記外部装置から受信された、前記表示手段に表示されるカーソルの位置情報を記憶する記憶手段とをさらに備え、
ることを特徴とする画像表示システム。」
＜相違点＞
　本願発明１は、「前記制御手段は、前記タイマ手段により計測される前記外部装置毎の前記経過時間に応じて、前記外部装置に対応する前記カーソルの、前記表示手段による表示に関する属性を、表示されている前記カーソルの前記位置情報を維持したまま変化させ、前記制御手段は、前記外部装置毎の前記経過時間に応じて前記カーソルの前記属性を、表示されている前記カーソルの前記位置情報を維持したまま変化させる処理を繰返し実行中に、外部装置が当該外部装置の傾きを変化させる操作を受けたことを表すデータを受信したことを受けて、当該外部装置のカーソルの前記属性を、前記カーソルの前記位置情報を維持したまま、前記処理が実行される前の状態に戻し、前記外部装置は、当該外部装置の重力に対する向きを決定することにより、当該外部装置の傾きを変化させる操作を受けたか否かを判定する」のに対して、引用発明Ｂは、そのようなものではない点。
イ　判断
＜相違点＞について
　引用文献Ｃには、特に図３、段落【００３５】、【００４６】を参照すると、マウス、タブレット、ライトペンなどのポインティングデバイスにより、時計回りの円を描き、更に下向きの直線を記入することで、ポインターをフェードアウトさせる記載がある。よって、ポインターの表示に関する属性を複数段階で変化させる点は、周知技術であるといえる。
　また、引用文献Ａには、「入力装置１１が
動いた
画面の中央
特定オブジェクトの位置
再表示
  しかし、「外部装置の傾きを変化させる」場合に、「表示されている前記カーソルの位置を維持したまま」、カーソル（ポインタ）の「表示に関する属性」を処理実行前の状態に戻すことは、各引用文献Ａ，Ｃに記載も示唆もなく、周知技術ともいえないから、引用発明Ｂにおいて、上記相違点に係る構成を採用することは、当業者が容易に想到できたものであるとはいえない。
ウ　むすび
　したがって、本願発明１は、引用発明Ｂ及び周知技術に基づいて当業者が容易に発明することができたものであるとはいえない。
（４）　「本願発明２」と「引用発明Ｂ」との対比、判断
ア　対比
　本願発明２と引用発明Ｂとを対比する。
（ア）　引用発明Ｂの「表示装置３、情報処理装置」と、「コントローラ４」とを含む、「情報処理システム１００」は、本願発明２の「画像表示装置」と、「外部装置」とを含む、「画像表示システム」に相当する。
　よって、引用発明Ｂの「情報処理システム１００は、複数のユーザ１が共有して見るための画像２を表示する表示装置３と、各ユーザ１により用いられる入力装置であるコントローラ４と、上記表示装置３及び複数のコントローラ４と無線又は有線で接続される情報処理装置とを含」むことは、本願発明２の「画像を表示する表示手段、及び外部装置と通信する通信手段を備えた画像表示装置と、前記外部装置とを含む画像表示システムであって、前記画像表示装置は、前記表示手段を制御する制御手段を備え」ることに相当する。
（イ）　引用発明Ｂの「画面６には、アイコン７やポインタ８等のＧＵＩ（Graphical User Interface）が表示され、ポインタ８（いわゆるカーソル）は、入力装置を使ってユーザが指定した画面６上の位置を示すオブジェクトであり、４つのコントローラ４ａ〜４ｄに対応する４つのポインタ８ａ〜８ｄが画面６に表示され」ることは、本願発明２の「前記制御手段は、前記表示手段に、前記外部装置に対応するカーソルを表示させ」ることに相当する。
　したがって、本願発明２と引用発明Ｂとの一致点・相違点は次のとおりである。
＜一致点＞
　画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記制御手段は、前記表示手段に、前記外部装置に対応するカーソルを表示させ、
ることを特徴とする画像表示システム。」　
＜相違点＞
　本願発明２は、「前記外部装置に対応するカーソルが通常状態で表示されているときに、当該外部装置が所定の操作を受けたことを表すデータを、前記通信手段が受信したことを受けて、前記制御手段は、当該外部装置に対応する前記カーソルの、前記表示手段による表示に関する属性を、表示されている前記カーソルの位置を維持したまま変化させ、前記所定の操作は、前記外部装置の傾きを変化させる操作であり、前記外部装置は、当該外部装置の重力に対する向きを決定することにより、当該外部装置の傾きを変化させる操作を受けたか否かを判定す」るのに対して、引用発明Ｂは、そのようなものではない点。
イ　判断
＜相違点＞について
　引用文献Ｃには、特に図３、段落【００３５】、【００４６】を参照すると、マウス、タブレット、ライトペンなどのポインティングデバイスにより、時計回りの円を描き、更に下向きの直線を記入することで、ポインターをフェードアウトさせる記載がある。よって、ポインターの表示に関する属性を複数段階で変化させる点は周知技術であるといえる。
　また、引用文献Ａには、「入力装置１１が
動いた
画面の中央
特定オブジェクトの位置
再表示
  しかし、「外部装置の傾きを変化させる」場合に、「表示されている前記カーソルの位置を維持したまま」、カーソル（ポインタ）の「表示に関する属性」を変化させることは、各引用文献Ａ，Ｃに記載も示唆もなく、周知技術ともいえないから、引用発明Ｂにおいて、上記相違点に係る構成を採用することは、当業者が容易に想到できたものであるとはいえない。
ウ　むすび
　したがって、本願発明２は、引用発明Ｂ及び周知技術に基づいて当業者が容易に発明することができたものであるとはいえない。
（５）　小括
　したがって、本願発明２は、引用文献Ａに記載された発明であるとはいえない。また、引用発明Ａに基づいて当業者が容易に発明をすることができたともいえない。
　また、本願発明１−２は、引用発明Ｂ及び周知技術に基づいて当業者が容易に発明をすることができたとはいえない。
　よって、原査定の理由によっては、本願を拒絶することはできない。
第４　当審拒絶理由について
１．当審拒絶理由の概要
　この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
　　　　　記　　（引用文献等については引用文献等一覧参照） 
・請求項：１，２　 
・引用文献等：１〜５　
・備考　　　　 
（請求項１について）　 
　
引用文献１
「画像を表示する表示手段（表示装置３）、及び外部装置（コントローラ４）と通信する通信手段（通信部５９）を備えた画像表示装置と、前記外部装置とを含む画像表示システム（情報処理システム１００）であって、 
　前記画像表示装置は、前記表示手段を制御する制御手段（ＣＰＵ５１）を備え、 
　前記通信手段が、前記外部装置が操作されたことを表すデータを受信したことを受けて、前記制御手段は前記表示手段に、当該外部装置に対応するカーソルを表示させ（ＳＴ２１３ＹＥＳ、ＳＴ２１６）、 
 　前記制御手段は、前記外部装置において所定時間操作がなされなかったと判定すると、前記表示手段に、当該外部装置に対応するカーソルを消去させ（ＳＴ２０３ＹＥＳ、ＳＴ２０４）、 
 　前記画像表示装置は、前記外部装置が操作されたことを表すデータを受信してから、前記外部装置が操作されたことを表すデータを受信しない状態の経過時間を、前記外部装置毎に、前記所定時間が経過するまで計測するタイマ手段（ウォッチドッグタイマ）をさらに備える画像表示システム。」 
 の点で本願発明と一致する発明（以下、「引用発明１」という。）が開示されていると認められる。 
 　 
 　本願発明と引用発明１は次の点で相違する。 
 　 
 ［相違点］本願発明では「前記制御手段は、前記タイマ手段により計測される前記外部装置毎の前記経過時間に応じて、前記外部装置に対応する前記カーソルの、前記表示手段による表示に関する属性を、表示されている前記カーソルの位置を維持したまま変化させ、 
 　前記制御手段は、前記外部装置毎の前記経過時間に応じて前記カーソルの前記属性を、表示されている前記カーソルの位置を維持したまま変化させる処理を繰返し実行中に、外部装置が当該外部装置の傾きを変化させる操作を受けたことを表すデータを受信したことを受けて、当該外部装置のカーソルの前記属性を、前記処理が実行される前の状態に戻し、 
 前記外部装置は、当該外部装置の重力に対する向きを決定することにより、当該外部装置の傾きを変化させる操作を受けたか否かを判定する」とされているのに対し、引用発明１ではそのようにされていない点。 
  
 ［相違点］について 
 　引用文献２の第３頁左上欄１５行〜右上欄１３行、第３図にも示されているように、カーソルの濃度を時間経過に応じて淡くし、マウスを再操作するとカーソルの濃度を元に戻すことは周知技術であり、この技術を引用発明１に適用できない理由はない。 
 　また、引用文献３、４にも示されているように、外部装置の重力に対する向きを決定することにより外部装置の傾きを検出し、検出した外部装置の傾きでカーソルを移動させることは周知技術であり、この技術を引用発明１に適用できない理由はない。 
 　したがって、引用発明１に、上記引用文献２〜４記載の技術を適用し、引用発明１を、上記相違点１に係る本願発明の構成を具備するものとすることは、当業者が容易に推考し得たことである。 
 
（請求項２について（その１）） 
 　引用文献２の特に第２頁左下欄７行〜第３頁右下欄１２行、第２図、第３図を参照すると、引用文献２には、 
 「画像を表示する表示手段（ＣＲＴ１）、及び外部装置（情報入力用マウス７）と通信する通信手段（マウスインターフェース６）を備えた画像表示装置と、前記外部装置とを含む画像表示システムであって、 
 　前記画像表示装置は、前記表示手段を制御する制御手段（表示制御回路８）を備え、 
 　前記制御手段は、前記表示手段に、当該外部装置に対応するカーソルを表示させ（カーソルをやや淡く表示、カーソルをさらに淡く表示（第３図））、 
 　前記通信手段が、前記外部装置が所定の操作を受けたことを表すデータを受信したことを受けて、前記制御手段は、当該外部装置に対応する前記カーソルの、前記表示手段による表示に関する属性を、表示されている前記カーソルの位置を維持したまま変化させ（ＰＤ座標更新Ｙ、カーソルを濃く表示（第３図））、 
 　前記所定の操作は、前記外部装置を変化させる（マウスのボールを回転させる）操作である画像表示システム。」 
 の点で本願発明と一致する発明（以下、「引用発明２」という。）が開示されていると認められる。 
  
 　本願発明と引用発明２は次の点で相違する。 
 　 
 ［相違点］本願発明では「前記所定の操作は、前記外部装置の傾きを変化させる操作であり、 
 　前記外部装置は、当該外部装置の重力に対する向きを決定することにより、当該外部装置の傾きを変化させる操作を受けたか否かを判定する」とされているのに対し、引用発明２ではそのようにされていない点。 
  
 ［相違点］について 
 　引用文献３、４にも示されているように、外部装置の重力に対する向きを決定することにより外部装置の傾きを検出し、検出した外部装置の傾きでカーソルを移動させることは周知技術であり、この技術を引用発明２に適用できない理由はない。 
 　したがって、引用発明２に、上記引用文献３、４記載の技術を適用し、引用発明２を、上記相違点に係る本願発明の構成を具備するものとすることは、当業者が容易に推考し得たことである。 
 （請求項２について（その２）） 
 　引用文献５の特に段落【００３０】〜【００４６】、【００７９】〜【００８２】、図１、図２、図９、図１０を参照すると、引用文献５には、 
 「画像を表示する表示手段（表示部１３）、及び外部装置（端末装置５ａ，５ｂ，５ｎ）と通信する通信手段（作業情報管理部１１）を備えた画像表示装置（大型表示装置３）と、前記外部装置とを含む画像表示システム（共有情報表示システム１）であって、 
 　前記画像表示装置は、前記表示手段を制御する制御手段（表示態様変化部２１）を備え、 
 　前記制御手段は、前記表示手段に、当該外部装置に対応するカーソルを表示させ（段落【００８０】、図１０）、 
 　前記通信手段が、前記外部装置が所定の操作を受けたことを表すデータを受信したことを受けて、前記制御手段は、当該外部装置に対応する前記カーソルの、前記表示手段による表示に関する属性を、表示されている前記カーソルの位置を維持したまま変化させる（段落【００８２】、図１１）画像表示システム。」 
 の点で本願発明と一致する発明（以下、「引用発明３」という。）が開示されていると認められる。 
  
 　本願発明と引用発明３は次の点で相違する。 
 　 
 ［相違点］本願発明では「前記所定の操作は、前記外部装置の傾きを変化させる操作であり、 
 　前記外部装置は、当該外部装置の重力に対する向きを決定することにより、当該外部装置の傾きを変化させる操作を受けたか否かを判定する」とされているのに対し、引用発明３ではそのようにされていない点。 
  
 ［相違点］について 
 　引用文献３、４にも示されているように、外部装置の重力に対する向きを決定することにより外部装置の傾きを検出し、検出した外部装置の傾きでカーソルを移動させることは周知技術であり、この技術を引用発明２に適用できない理由はない。 
 　したがって、引用発明３に、上記引用文献３、４記載の技術を適用し、引用発明３を、上記相違点に係る本願発明の構成を具備するものとすることは、当業者が容易に推考し得たことである。 
  
 　　　　　　　　　　　引　用　文　献　等　一　覧 
 １．特開２０１１−２２７６２８号公報 
 ２．特開昭６３−２８２５２４号公報 
 ３．特開２０１２−６４０６９号公報 
 ４．特開２００８−１５２７５１号公報 
 ５．特開２０１０−１７０３５４号公報 
２．当審拒絶理由の判断
（１）　各引用文献の記載事項と、引用発明１（引用発明Ｂ）、引用発明２、引用発明３
ア　引用文献１（引用文献Ｂ）の記載事項と引用発明１（引用発明Ｂ）
　引用文献１（引用文献Ｂ。特開２０１１−２２７６２８号公報 ）には、上記第３、２（１）イのとおりの、引用発明１（引用発明Ｂ）が記載されている。
イ　引用文献２の記載事項と引用発明２
　引用文献２（特開昭６３−２８２５２４号公報）には、以下の記載がある。
（ア）　２ページ左下欄７行−３ページ右下欄１２行
「〔実施例〕
　以下、この発明の情報処理装置のカーソル表示装置を図示の実施例に基づいて説明する。
第１図は本発明の情報処理装置のカーソル表示装置の表示画面を示す概念図であり、第２図は本発明のカーソル表示装置のブロック構成図、第３図は本発明のカーソル表示装置の動作を示すフローチャートである。
　第２図に示すように、
マイクロコンピュータ等からなるＣＰＵ３のバスラインにはこのカーソル表示装置の全体の動作を司っているシステムＲＯＭ４やシステムＲＡＭ５が接続され
　
上記バスラインには情報入力用のマウス７を接続するためのマウスインターフェース６が接続されており、さらにビットマップ方式のメモリ素子からなる表示メモリ９とが接続され、ＣＲＴに表示される文字等は表示制御回路８からの制御信号により制御され
この表示メモリ９はデジタル／アナログコンバータ１０を介して
ＣＲＴに接続されて
　そして、
上記マウス７の裏面側に回転自在なボールが取付けられ、このボールの回転によりＣＲＴ上における座標更新がされ
即ち、停止していたマウス７がオペレータにより操作されるとボールが回転し、座標更新がなされ
　
更に、上記ＣＰＵ３のバスラインには一定時間毎に割り込み信号を発生する割り込みコントローラ１１が接続されており、この割り込みコントローラ１１にはオペレータがカーソルの表示している時間幅を任意に設定することが可能なタイマー１２が接続され
　次に、このように構成されているカーソル表示装置の動作を第１〜３図によって説明する。
　
オペレータがワープロ等のＣＲＴ１に向かって、丸や三角等の図形データをマウス７を用いて入力していく
　この
時には、上記ＣＲＴ１の上には濃い矢印で示されるカーソル２（２ａ）が表示されて
　この濃いカーソルの場合には、オペレータがマウス７を絶えず使って図形情報を入力している場合であって、この時にはオペレータがカーソルを見ながら必要なデータを入力しているのでカーソル表示そのものは目障りになることはない。
　ところが、オペレータが一連の図形情報の入力が終了したとすると、この場合には再び図示しないキーボードから文字や数字等のデータを入力することとなる。
　そして、第３図に示すように、
カーソルが濃く表示された状態で、オペレータがポインティングデバイスであるマウス７を使用しないまま、例えば１０秒間が所定時間として経過すると、
カーソル２ｂはやや淡く表示され
　
更に、マウス７を使用しないまま１０秒間経過すると
カーソル２ｃはさらに淡く表示され、以下同様にカーソルは
淡くなっていき、ついには消滅してい
　一方、第３図に示すようにカーソルを濃く表示した状態で、マウス７の更新が終了した後の数秒の間にキーボードから文字データを入力し、最初のマウスの使用の終了後から１０秒以内にマウス７を再操作すると、ポインティングデバイスであるマウス７座標位置は再更新されるので、カーソルは再び濃く表示される。
　以上のような動作が第２図に示すブロック図において次のように行われる。
　即ち、オペレータがマウス７を操作することによりマウスのボール（図示せず）が回転し、マウスインターフェース６を介して図形データが座標情報としてＣＰＵ３に送られる。
　この図形データはＣＰＵ３から表示制御回路８に送られ、この表示制御回路８においてビットマツプ方式の制御が行なわれ、この図形データは表示メモリ９に格納される。
　そして、Ｄ／Ａコンバータ１０を介して具体的な円や曲線の図形としてＣＲＴに表示される。
　一方、オペレータが時間比較回路１２に対し予め１０秒間というように設定をしておくと、上記マウス７を使い始めてからの時間が監視されていて、上記１０秒間が経過したとすると、時間比較回路１２から所定の信号がタイムオーバー信号として発せられて、割り込みコントローラ１１に送られる。
　すると、この割り込みコントローラ１１からＣＰＵ３に対し割り込み信号が送られるので、ＣＰＵ３は表示制御回路８へ信号を送り、カーソルの表示濃度をそれまでの状態から「やや薄い状態」にする。
　以上のように時間の経過を監視することにより、所定の時間が経過したなら徐々にカーソルの濃度を薄くしていけばよい。
　なお、前記第３図に示したフローチャートにおいてはカーソルの濃度表示を濃い状態、淡い状態、やや淡い状態、更に淡い状態、消滅した状態の５段階を示したが、何も５段階に限る必要はないのは勿論である。
〔効果〕
　本発明によれば、それまでマウス等のポインティングデバイスを使っていて、所定の時間だけ使用しない場合には徐々に薄くなって消えるようにしているので、オペレータにとってポインティングデバイスによるカーソル表示が目障りとなることがない。」
（イ）　第３図
　第３図の右下付近には、「
カーソルを消す
処理後
ポインティングデバイス
座標更新
の有無を判定して、もし「Ｙｅｓ」ならば、
カーソルを濃く表示
　そうすると、引用文献２には、以下の発明（以下、「引用発明２」という。）が記載されている。
「マイクロコンピュータ等からなるＣＰＵ３のバスラインにはこのカーソル表示装置の全体の動作を司っているシステムＲＯＭ４やシステムＲＡＭ５が接続され、上記バスラインには情報入力用のマウス７を接続するためのマウスインターフェース６が接続されており、さらにビットマップ方式のメモリ素子からなる表示メモリ９とが接続され、ＣＲＴに表示される文字等は表示制御回路８からの制御信号により制御され、この表示メモリ９はデジタル／アナログコンバータ１０を介してＣＲＴに接続されており、
　上記マウス７の裏面側に回転自在なボールが取付けられ、このボールの回転によりＣＲＴ上における座標更新がされ、即ち、停止していたマウス７がオペレータにより操作されるとボールが回転し、座標更新がなされ、
　更に、上記ＣＰＵ３のバスラインには一定時間毎に割り込み信号を発生する割り込みコントローラ１１が接続されており、この割り込みコントローラ１１にはオペレータがカーソルの表示している時間幅を任意に設定することが可能なタイマー１２が接続され、
　オペレータがワープロ等のＣＲＴ１に向かって、丸や三角等の図形データをマウス７を用いて入力していく時には、上記ＣＲＴ１の上には濃い矢印で示されるカーソル２（２ａ）が表示されており、
　カーソルが濃く表示された状態で、オペレータがポインティングデバイスであるマウス７を使用しないまま、例えば１０秒間が所定時間として経過すると、カーソル２ｂはやや淡く表示され、
　更に、マウス７を使用しないまま１０秒間経過するとカーソル２ｃはさらに淡く表示され、以下同様にカーソルは淡くなっていき、ついには消滅していき、
　カーソルを消す処理後、ポインティングデバイス座標更新の有無を判定して、もし「Ｙｅｓ」ならば、カーソルを濃く表示する、カーソル表示装置。」
ウ　引用文献５の記載事項と引用発明３
　引用文献５（特開２０１０−１７０３５４号公報）には、以下の記載がある。
（ア）　段落【００１７】
「このような構成によれば、
カーソル操作がなければ、カーソルイメージを、他ユーザのカーソル操作の邪魔にならない所定エリア
へ自動的に移動させる
（イ）　段落【００３０】−【００４６】
「【発明を実施するための形態】
【００３０】
  以下、図面を参照しながら本発明に係る共有情報表示装置の実施形態について詳細に説明する。図１は、共有情報表示装置が使用された共有情報表示システムの構成例を示す。
【００３１】
  
共有情報表示システム１は、
一つの大型表示装置３と複数の端末装置５ａ，５ｂ，５ｎとを有し、それらが相互通信可能なように通信ネットワーク７に接続され
【００３２】
  大型表示装置３は、フラットパネルディスプレイ、電子ホワイトボード、液晶イメージプロジェクターなどのような大画面を表示できる表示装置を有し、例えば会議室などに設置されていて、会議室に居るユーザ達が一緒にその大画面に表示された情報を見ることができるようにするものである。
【００３３】
  各端末装置５ａ，５ｂ，５ｎは、各ユーザが個人的に使用する携帯型または据え置き型のコンピュータ（例えば、各ユーザが会議室に持参する携帯型パーソナルコンピュータまたは携帯電話機、或いは、各ユーザが執務室内で使用するパーソナルコンピュータなど、
何でもよい）あって、そこにインストールされたプログラムを実行することで、本発明の一実施形態にかかる共有情報表示装置として機能する。
【００３４】
  また、大型表示装置３は、各端末装置５ａ，５ｂ，５ｎと同様の一つの端末装置として使用可能な一つのコンピュータでもあって、そこにインストールされたプログラムを実行することで、本発明の一実施形態にかかる共有情報表示装置として機能する。
【００３５】
  図２は、図１に示された共有情報表示システムにおける本発明の一実施形態にかかる共有情報表示装置の機能を示す機能ブロック図である。
【００３６】
  大型表示装置３も各端末装置５ａ，５ｂ，５ｎも、本発明の一実施形態にかかる共有情報表示装置として機能し、その共有情報表示装置としての機能構成は基本的に同じである。そこで、図２では、代表して、大型表示装置３がもつ共有情報表示装置としての機能構成だけが図示されている。
大型表示装置３は、作業情報管理部１１、表示部１３、カーソル移動部１５、ユーザ属性情報部１７、カーソルイメージ準備部１９、カーソルイメージ準備部１９に付属するグルーピング部１９ａ、表示態様変化部２１、及びカーソル操作検出部２３を備え
【００３７】
  作業情報管理部１１は、複数のユーザにより参照又は編集されることになる作業コンテンツデータと複数のユーザからのカーソル操作信号とを入力する。作業コンテンツデータの入力元は、大型表示装置３それ自体（大型表示装置３がもつ図示しない記憶装置）であってもよいし、各端末装置５ａ，５ｂ，５ｎであってもよいし、或いは、大型表示装置３が通信可能な（図１には示されていない）任意の外部装置であってもよい。各ユーザからのカーソル操作信号の入力源は、各ユーザが使用する端末装置、例えば、端末装置５ａ，５ｂ，５ｎ及び大型表示装置３それ自体（大型表示装置３がもつカーソル操作検出部２３）である。作業情報管理部１１は、入力した作業コンテンツデータを表示部１３に送り、また、入力した各ユーザのカーソル操作信号をカーソル移動部１５及び表示態様変化部２１に送る。
【００３８】
  表示部１３は、表示画面を有し、作業情報管理部１１から作業コンテンツデータを受けて、その作業コンテンツデータのイメージを表示画面上に表示する。また、表示部１３は、カーソルイメージ準備部１９により準備される複数のユーザのカーソルイメージを入力し、それらのカーソルイメージを作業コンテンツデータのイメージと同時に表示画面上に表示する。
【００３９】
  カーソル移動部１５は、作業情報管理部１１から各ユーザのカーソル操作信号を受け、そのうちのカーソル移動を要求するカーソル操作信号に応答して、表示部１３を制御することで、各ユーザのカーソルイメージを表示画面上で移動させる。
【００４０】
  ユーザ属性情報部１７は、複数のユーザがそれぞれ持つユーザ属性値を示したユーザ属性情報（例えば、氏名、識別コード、ニックネーム、所属する職場、今いる場所、所望するアバターのイメージ、会議の場合であればどの案に賛同しているか、所望するカーソルイメージのイメージデータ、又は、カーソルイメージの色や形などのデザイン情報など）を、任意の外部装置から取得したり、或いは任意の方法で入力したりして、そのユーザ属性情報を記憶する。ユーザ属性情報には、１又は複数のユーザ属性項目（例えば、氏名、識別コード、ニックネーム、所属する職場、今いる場所、所望するアバターのイメージ、会議の場合であればどの案に賛同しているか、所望するカーソルイメージのイメージデータ、又は、カーソルイメージの色や形などのデザイン情報など）について、それぞれのユーザのユーザ属性値が記述されている。
【００４１】
  カーソルイメージ準備部１９は、ユーザ属性情報に基づいて、各ユーザのカーソルイメージの表示態様がそのユーザ属性値に応じた表示態様になるように、各ユーザのカーソルイメージを準備又は作成する。通常、ユーザによりユーザ属性値が異なるから、ユーザにより異なる表示態様をもつカーソルイメージが準備されることになる。ここで、カーソルイメージの「表示態様」とは、表示画面に表示されたカーソルイメージの形状、色彩、模様、サイズなどの静的外観、カーソルイメージの点滅や外観の変化などの動的外観、カーソルイメージの表示位置、及び/又はカーソルイメージの表示位置の変化など、表示画面上でユーザが各カーソルイメージを他のカーソルイメージから峻別するのに役立つカーソルイメージがもつ種々の視覚的な特性のいずれをも含む意味である。
【００４２】
  カーソルイメージ準備部１９によって各ユーザのカーソルイメージの表示態様を決めるやり方としては、一つのユーザ属性項目についてのユーザ属性値のみに基づいて、カーソルイメージの表示態様を決定するようにしてもよいし（例えば、各人が所望するカーソルイメージのイメージデータを、そのまま各人のカーソルイメージとして使う）、或いは、複数のユーザ属性項目についてのユーザ属性値に基づいて表示態様を決定するようにしてもよい（例えば、各人の所属職場に基づきカーソルイメージの形状を決定して、そのイメージデータを各人のカーソルイメージとして使う）。
【００４３】
  カーソルイメージ準備部１９はグルーピング部１９ａを有する。グルーピング部１９ａは、上記ユーザ属性情報に基づいて、複数のユーザを２以上のグループに分類する。グルーピングの仕方としては、所定の1又はそれ以上の属性項目のユーザ属性値に基づいて、例えば、所属部署によって、或いは、或る案に賛成しているか否かによって、ユーザをグルーピングすることができる。カーソルイメージ準備部１９は、各グループに属するユーザのカーソルイメージの表示態様が、そのグループが共通にもつユーザ属性値に応じた共通特徴をもつように、各ユーザのカーソルイメージを準備することができる。例えば、同じグループに属するユーザのカーソルイメージの形状又は色彩を同じし、グループ間では異なるようにする、というようにである。
【００４４】
  表示態様変化部２１は、各ユーザからのカーソル操作信号が所定条件（例えば、所定時間以上に亘ってカーソル操作を行ってない、そのカーソルが他のカーソルと表示画面上の同じエリア内に存在する、この共有情報表示装置（この例の場合は、大型表示装置３）に入力されたカーソル操作信号であるか他の共有情報表示装置（この例の場合は、他の端末装置５ａ、５ｂ、５ｎ）に入力されたカーソル操作信号であるか、又は、特定種類のカーソル操作を要求した、など）を満たすか否かを判定して、判定の結果に応じてそのユーザのカーソルイメージの表示態様を変化させる機能を備えている。例えば、表示態様変化部２１は、所定時間に亘って移動のないカーソルを待機場所へ移動させたり、議決内容の決定権限をもつ決定者のカーソルを目立つように表示したりする。
【００４５】
  カーソル操作検出部２３は、この共有情報表示装置（この場合は、大型表示装置３）にそのユーザから入力されたカーソル操作信号を検出して、作業情報管理部１１へ送信する。
【００４６】
  また、各端末装置５ａ、５ｂ、５ｎがもつ共有情報表示装置としての機能構成は大型表示装置３と同様である。ただし、各端末装置５ａ、５ｂ、５ｎのカーソル操作検出部２３は、その端末装置５ａ、５ｂ、５ｎに入力されたカーソル操作信号を検出することになる。また、各端末装置５ａ、５ｂ、５ｎのユーザ属性情報部１７がもつユーザ属性情報の内容がどうであるか、カーソルイメージ準備部１９がユーザ属性情報に基づいてどのようなやり方でカーソルイメージの表示態様を決めるか、及び/又は、表示態様変化部２１がどのようなやり方でカーソルイメージの表示態様を変化させるか、などは、端末装置５ａ、５ｂ、５ｎごとに異なっていてもよいし、共通であってもよい。或いは、各端末装置５ａ、５ｂ、５ｎが、自装置のユーザ属性情報部１７やカーソルイメージ準備部１９を機能させずに、他の特定の共有情報表示装置、例えば大型表示装置３、で準備されたカーソルイメージを、大型表示装置３から受け取って、大型表示装置３と同じ表示態様でカーソルイメージを表示するようにしてもよい。」
（ウ）　段落【００７９】−【００８２】
「【００７９】
  図１０は、カーソル操作が一定時間に亘ってなかった場合の図９に示された制御の結果の表示画面例を示す。
【００８０】
  図１０に示された例では、
ニックネームが“Ｔａｒ”のカーソル操作が一定時間に亘ってなかった場合、“Ｔａｒ”のカーソルが、例えば、小さな点のような簡易カーソルイメージに変更され、かつ、表示画面上の作業コンテンツを表示したウインドウの外の右下隅の場所へ移動させられ
【００８１】
  図１１は、図１０の後にカーソル操作が再開された場合の図９に示された制御の結果の表示画面例を示す。
【００８２】
  図１０に示された状態の後に、
ニックネーム“Ｔａｒ”のカーソルの操作が再開した場合、
画面右下の“Ｔａｒ”のカーソルイメージが、通常のカーソルイメージに復帰
このとき、そのカーソルの場所は、画面右下のままであるが、その位置から、そのユーザがカーソル操作で所望の位置へ移動させるこができる
　そうすると、引用文献５には、以下の発明（以下、「引用発明
３
「カーソル操作がなければ、カーソルイメージを、他ユーザのカーソル操作の邪魔にならない所定エリアへ自動的に移動させるものであって、
　共有情報表示システム１は、一つの大型表示装置３と複数の端末装置５ａ，５ｂ，５ｎとを有し、それらが相互通信可能なように通信ネットワーク７に接続され、
　大型表示装置３は、作業情報管理部１１、表示部１３、カーソル移動部１５、ユーザ属性情報部１７、カーソルイメージ準備部１９、カーソルイメージ準備部１９に付属するグルーピング部１９ａ、表示態様変化部２１、及びカーソル操作検出部２３を備え、
　ニックネームが“Ｔａｒ”のカーソル操作が一定時間に亘ってなかった場合、“Ｔａｒ”のカーソルが、例えば、小さな点のような簡易カーソルイメージに変更され、かつ、表示画面上の作業コンテンツを表示したウインドウの外の右下隅の場所へ移動させられ、
　ニックネーム“Ｔａｒ”のカーソルの操作が再開した場合、画面右下の“Ｔａｒ”のカーソルイメージが、通常のカーソルイメージに復帰し、このとき、そのカーソルの場所は、画面右下のままであるが、その位置から、そのユーザがカーソル操作で所望の位置へ移動させることができる、共有情報表示システム１。」
（２）　「本願発明１」と「引用発明１」との対比、判断
ア　対比
　本願発明１と引用発明１（引用発明Ｂ）との一致点、相違点は、上記第３、２（３）アのとおりである。
イ　判断
＜相違点＞について
　引用文献２には、上記（１）イのとおり、引用発明２が記載されている。すなわち、「停止していたマウス７がオペレータにより操作されるとボールが回転し、座標更新がなされるものにおいて」、「オペレータがポインティングデバイスであるマウス７を使用しないまま、例えば１０秒間が所定時間として経過すると、カーソル２ｂはやや淡く表示され、以下同様にカーソルは淡くなっていき、ついには消滅していき」、「カーソルを消す処理後、ポインティングデバイス座標更新の有無を判定して、もし「Ｙｅｓ」ならば、カーソルを濃く表示する」記載がある。よって、経過時間に応じてポインター（カーソル）の表示に関する属性を変化させ、座標更新が有った場合、すなわち、
ポインター（カーソル）が移動した場合に
　引用文献３（特開２０１２−６４０６９号公報。特に段落【０００８】、【００４０】−【００５０】を参照）、引用文献４（特開２００８−１５２７５１号公報。特に【要約】を参照）にそれぞれ記載されるように、一般に、
カーソルを移動させるために
　引用文献５には、上記（１）ウのとおり、引用発明３が記載されている。すなわち、
カーソル操作がなければ、
所定エリアへカーソルを自動的に移動させるものであって
カーソルの操作が再開した場合
そのカーソルの場所は、画面右下のままであること
  しかし、「外部装置の傾きを変化させる」場合に、「表示されている前記カーソルの位置を維持したまま」、カーソル（ポインタ）の「表示に関する属性」を処理実行前の状態に戻すことは、各引用文献２−５に記載も示唆もなく、周知技術ともいえないから、引用発明１において、上記相違点に係る構成を採用することは、当業者が容易に想到できたものであるとはいえない。
ウ　むすび
　したがって、本願発明１は、引用発明１及び周知技術に基づいて当業者が容易に発明することができたものであるとはいえない。
（３）　「本願発明２」と「引用発明１」との対比、判断
ア　対比
　本願発明２と引用発明１（引用発明Ｂ）との一致点、相違点は、上記第３、２（４）アのとおりである。
イ　判断
＜相違点＞について
　引用文献２には、上記（１）イのとおり、引用発明２が記載されている。すなわち、「停止していたマウス７がオペレータにより操作されるとボールが回転し、座標更新がなされるものにおいて」、「オペレータがポインティングデバイスであるマウス７を使用しないまま、例えば１０秒間が所定時間として経過すると、カーソル２ｂはやや淡く表示され、以下同様にカーソルは淡くなっていき、ついには消滅していき」、「カーソルを消す処理後、ポインティングデバイス座標更新の有無を判定して、もし「Ｙｅｓ」ならば、カーソルを濃く表示する」記載がある。よって、経過時間に応じてポインター（カーソル）の表示に関する属性を変化させ、座標更新が有った場合、すなわち、
ポインター（カーソル）が移動した場合に
　引用文献３（特開２０１２−６４０６９号公報。特に段落【０００８】、【００４０】−【００５０】を参照）、引用文献４（特開２００８−１５２７５１号公報。特に【要約】を参照）にそれぞれ記載されるように、一般に、
カーソルを移動させるために
　引用文献５には、上記（１）ウのとおり、引用発明３が記載されている。すなわち、
カーソル操作がなければ、他ユーザのカーソル操作の邪魔にならない所定エリアへカーソルを自動的に移動させるもの
カーソルの操作が再開した場合
カーソルの場所は、画面右下のままであること
  しかし、「外部装置の傾きを変化させる」場合に、「表示されている前記カーソルの位置を維持したまま」、カーソル（ポインタ）の「表示に関する属性」を変化させることは、各引用文献２−５に記載も示唆もなく、周知技術ともいえないから、引用発明１において、上記相違点に係る構成を採用することは、当業者が容易に想到できたものであるとはいえない。
ウ　むすび
　したがって、本願発明２は、引用発明１及び周知技術に基づいて当業者が容易に発明することができたものであるとはいえない。
（４）　「本願発明２」と「引用発明２」との対比、判断
ア　対比
　本願発明２と引用発明２とを対比する。
（ア）　引用発明２の「カーソル表示装置、ＣＲＴ」と、「マウス７」とを含む、「カーソル表示装置、ＣＲＴ、マウス７からなるシステム」は、本願発明２の「画像表示装置」と「外部装置」とを含む「画像表示システム」に相当するといえる。
　よって、引用発明２の「マイクロコンピュータ等からなるＣＰＵ３のバスラインには……情報入力用のマウス７を接続するためのマウスインターフェース６が接続されており、……ＣＲＴに表示される文字等は表示制御回路８からの制御信号により制御され」ることは、本願発明２の「画像を表示する表示手段、及び外部装置と通信する通信手段を備えた画像表示装置と、前記外部装置とを含む画像表示システムであって」、「前記画像表示装置は、前記表示手段を制御する制御手段を備え」ることに相当する。
（イ）　引用発明２の「オペレータがワープロ等のＣＲＴ１に向かって、丸や三角等の図形データをマウス７を用いて入力していく時には、上記ＣＲＴ１の上には濃い矢印で示されるカーソル２（２ａ）が表示されて」いることは、本願発明２の「前記制御手段は、前記表示手段に、前記外部装置に対応するカーソルを表示させ」ることに相当する。
　したがって、本願発明２と引用発明２との一致点・相違点は次のとおりである。
＜一致点＞
「画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記制御手段は、前記表示手段に、前記外部装置に対応するカーソルを表示させ、
ることを特徴とする画像表示システム。」
　
＜相違点＞ 
　本願発明２は、「前記外部装置に対応するカーソルが通常状態で表示されているときに、
当該外部装置が所定の操作を受けたことを表すデータを、前記通信手段が受信したことを受けて
表示に関する属性を
表示されている前記カーソルの位置を維持したまま変化させ
所定の操作は、前記外部装置の傾きを変化させる操作
マウス７を使用しないまま
操作しないこと
属性を変化させるもの
イ　判断
＜相違点＞について
　引用文献３（特開２０１２−６４０６９号公報。特に段落【０００８】、【００４０】−【００５０】を参照）、引用文献４（特開２００８−１５２７５１号公報。特に【要約】を参照）にそれぞれ記載されるように、一般に、
カーソルを移動させるために
装置の傾きを変化させる操作を検出する点
  しかし、「外部装置の傾きを変化させる」場合に、「表示されている前記カーソルの位置を維持したまま」、カーソル（ポインタ）の「表示に関する属性」を変化させることは、各引用文献３、４に記載も示唆もなく、周知技術ともいえないから、引用発明２において、上記相違点に係る構成を採用することは、当業者が容易に想到できたものであるとはいえない。
ウ　むすび
　したがって、本願発明２は、引用発明２及び周知技術に基づいて当業者が容易に発明することができたものであるとはいえない。
（５）　「本願発明２」と「引用発明３」との対比、判断
ア　対比
　本願発明２と引用発明３とを対比する。
（ア）　引用発明３の「大型表示装置３」と「複数の端末装置５ａ，５ｂ，５ｎ」とを含む「共有情報表示システム１」は、本願発明２の「画像表示装置」と「外部装置」とを含む「画像表示システム」に相当する。
　よって、引用発明３の「共有情報表示システム１は、一つの大型表示装置３と複数の端末装置５ａ，５ｂ，５ｎとを有し、
それらが相互通信可能なように通信ネットワーク７に接続され
表示部１３
（イ）　引用発明３の「ニックネーム“Ｔａｒ”のカーソルの操作が再開した場合、画面右下の“Ｔａｒ”のカーソルイメージが、通常のカーソルイメージに復帰し、このとき、そのカーソルの場所は、画面右下のままであるが、その位置から、そのユーザがカーソル操作で所望の位置へ移動させることができる」ことは、本願発明２の「前記制御手段は、前記表示手段に、前記外部装置に対応するカーソルを表示させ」ることに相当する。
　したがって、本願発明２と引用発明３との一致点・相違点は次のとおりである。
＜一致点＞
「画像を表示する表示手段、及び外部装置と通信する通信手段を備えた画像表示装置と、前記外部装置とを含む画像表示システムであって、
　前記画像表示装置は、前記表示手段を制御する制御手段を備え、
　前記制御手段は、前記表示手段に、前記外部装置に対応するカーソルを表示させ、
ることを特徴とする画像表示システム。」
　
＜相違点＞ 
　本願発明２は、「前記外部装置に対応する
カーソルが通常状態で表示されているときに
表示に関する属性を
表示されている前記カーソルの位置を維持したまま変化させ
所定の操作は、前記外部装置の傾きを変化させる操作
カーソル操作がなければ
所定エリアに自動的に移動して
簡易カーソルイメージに変更し
カーソル操作が再開すると
画面右下のままで
カーソルが通常状態で表示されているときに
装置の傾きを変化させる操作に応じて
表示されている前記カーソルの位置を維持したまま
イ　判断
＜相違点＞について
　引用文献３（特開２０１２−６４０６９号公報。特に段落【０００８】、【００４０】−【００５０】を参照）、引用文献４（特開２００８−１５２７５１号公報。特に【要約】を参照）にそれぞれ記載されるように、一般に、
カーソルを移動させるために
装置の傾きを変化させる操作を検出する点
  しかし、「カーソルが通常状態で表示されているときに」、「外部装置の傾きを変化させる操作に応じて」、「表示されている前記カーソルの位置を維持したまま」、カーソルの「表示に関する属性」を変化させることは、各引用文献３、４に記載も示唆もなく、周知技術ともいえないから、引用発明３において、上記相違点に係る構成を採用することは、当業者が容易に想到できたものであるとはいえない。
ウ　むすび
　したがって、本願発明２は、引用発明３及び周知技術に基づいて当業者が容易に発明することができたものであるとはいえない。
（６）小括
　したがって、本願発明１−２は、当業者が引用発明１−３に基づいて容易に発明をすることができたものとはいえなくなった。
　そうすると、もはや、当審で通知した拒絶理由によって本願を拒絶することはできない。
第５　むすび
　以上のとおり、原査定の理由によっては、本願を拒絶することはできない。
　また、他に本願を拒絶すべき理由を発見しない。
　よって、結論のとおり審決する。